(57)【要約】【課題】レンズの焦点距離を容易に調整すること。【解決手段】外部に連通された開口部１０１を備えるハウジング１０２内に収容された撮像部材に取り付けられて、ハウジング１０２外部の光を撮像部材に入射させるレンズ装置１０３において、ハウジング１０２外部の光を収束させるズームレンズを光軸方向に移動可能に保持する鏡筒１０４に設けられて光軸周りに回転自在なズームリングに、一部が開口部１０１周辺に位置付けられる操作用部材を取り付けた。これによって、ハウジング１０２内におけるズームリングの位置に左右されることなく、操作用部材を掴んでズームリングを回転させることができる。【選択図】図１
2008046492.tif 000002
【特許請求の範囲】
【請求項１】
外部に連通された開口部を備えるハウジング内に収容された撮像部材に取り付けられて、前記ハウジング外部の光を前記撮像部材に入射させるレンズ装置であって、
前記ハウジング外部の光を収束させるレンズを光軸方向に移動可能に保持する鏡筒と、
前記鏡筒に設けられて前記光軸周りに回転自在なリング状部材を備え、当該リング状部材の回転にともなって前記レンズを前記光軸方向に移動させる移動機構と、
一端部が前記リング状部材に設けられ他端部が前記開口部周辺に位置付けられて、前記光軸周りに回転するように操作された場合に前記リング状部材を前記光軸周りに回転させる操作用部材と、
を備えることを特徴とするレンズ装置。
【請求項２】
前記操作用部材の前記他端部は、前記ハウジングの外部に位置付けられていることを特徴とする請求項１に記載のレンズ装置。
【請求項３】
前記操作用部材に当接している場合に前記他端部を前記光軸に近接する方向に付勢し、前記操作用部材との間に生じる摩擦によって前記リング状部材の回転を規制する規制部材を備え、
前記操作用部材は、加えられた外力に応じて前記規制部材から離間するように弾性変形している場合に、前記リング状部材を前記光軸周りに回転可能とすることを特徴とする請求項１または２に記載のレンズ装置。
【請求項４】
外部に連通された開口部を備えるハウジングと、
前記ハウジング内に設けられて、入射した外光を光電変換する撮像素子を備える撮像部材と、
前記撮像部材に取り付けられた請求項１〜３のいずれか一つに記載のレンズ装置と、
を備えることを特徴とする撮像装置。
【発明の詳細な説明】
【技術分野】
【０００１】
この発明は、レンズなどの光学部材を備えるレンズ装置およびこのようなレンズ装置を備える撮像装置に関する。
【背景技術】
【０００２】
従来、たとえば、光軸方向を軸心方向とする鏡筒内において光軸方向にのみスライド自在に設けられた光学部材の一部を、鏡筒の外周側において光軸周りに回転自在なリング状部材の内周面に設けられた螺旋状のカム溝に係合させ、リング状部材を回転させてカム溝に対する光学部材の係合位置を変えることで、光学部材を光軸方向に移動させるようにした技術がある。
【０００３】
このような技術を用いてレンズを光軸方向に移動させ、レンズの焦点位置の調整を可能にしたレンズ装置がある。レンズ装置は、たとえば、監視カメラなどに利用され、監視カメラ本体に取り付けて使用される。監視カメラに用いられるレンズ装置には、光軸方向に移動可能なレンズを複数備えるものがある。
【０００４】
監視カメラには、レンズ装置が取り付けられた監視カメラ本体を収容するハウジングを天井や壁などに埋め込むことで、監視カメラの存在を目立たせないようにしたビルトインタイプのものがある。このようなビルトインタイプの監視カメラには、レンズ装置において被写体側に位置するレンズ部分のみを天井や壁などから突出させ、突出する部分を覆うドーム型のカバー部材を備えるものがある。
【０００５】
カバー部材を備える監視カメラでは、カバー部材を取り外した状態で、ハウジング内に手を入れてリング状部材を回転させることでレンズの焦点距離を調整する。光軸方向に移動可能なレンズを複数備えるレンズ装置においては、各レンズに対応した複数のリング状部材を備えている。複数のリング状部材は、各レンズの位置に応じて光軸方向に順次配列される。このため、作業者は、監視カメラ本体側のレンズの焦点距離を調整する際には、被写体側となるレンズの焦点距離を調整する際よりも、ハウジングの奥に手を入れることになる。
【０００６】
レンズの焦点距離の調整が可能なレンズ装置においては、レンズの焦点距離を調整した後のリング状部材の位置を固定し、調整後にレンズの位置がずれることを防止する機構が設けられており、たとえば、リング状部材の外周側から内周側に貫通するネジをリング状部材に螺合し、ネジの先端を鏡筒に押し当てることによって、リング状部材の位置を固定するようにした技術がある（たとえば、下記特許文献１を参照。）。
【０００７】
また、たとえば、レンズ装置の光軸方向に沿って鏡筒に螺合されたネジの一部にプレート状部材を設け、鏡筒から抜ける方向にネジが回転する際にプレート状部材をリング状部材に押し当てることによって、リング状部材の位置を固定するようにした技術がある（たとえば、下記特許文献２を参照。）。
【０００８】
【特許文献１】特開２００３−２３３１０２号公報
【特許文献２】特開２００４−０５４１８６号公報
【発明の開示】
【発明が解決しようとする課題】
【０００９】
しかしながら、上述したビルトインタイプの監視カメラでは、監視カメラに対する小型化への要望にともなって、ハウジングの内側に確保できる空間が小さくなってきており、上述した従来のレンズ装置ではレンズの焦点距離を調整しづらいという問題があった。
【００１０】
また、上述した従来のレンズ装置が取り付けられた監視カメラでは、レンズを移動させるためのリング状部材に手が届きにくくなることから、ハウジングの奥側に位置するレンズほど当該レンズの焦点距離を調整しづらくなるという問題があった。
【００１１】
また、上述した従来の技術のうち、たとえば、特許文献１に記載された技術では、リング状部材の位置を固定する際にネジを締め込み過ぎると、鏡筒が変形したり鏡筒に穴が空いてしまったりする、などの問題があった。また、たとえば、特許文献１，２に記載された技術では、リング状部材の位置を固定するネジを操作するための作業スペースをハウジング内に確保しなければならず、小型化に支障をきたすという問題があった。
【００１２】
この発明は、上述した従来技術による問題点を解消するため、レンズの焦点距離を容易に調整することができるレンズ装置および撮像装置を提供することを目的とする。
【００１３】
さらに、この発明は、撮像装置の小型化に支障を来たすことなく、レンズの焦点距離を容易に調整することができるレンズ装置および撮像装置を提供することを目的とする。
【課題を解決するための手段】
【００１４】
この発明にかかるレンズ装置は、外部に連通された開口部を備えるハウジング内に収容された撮像部材に取り付けられて、前記ハウジング外部の光を前記撮像部材に入射させるレンズ装置であって、前記ハウジング外部の光を収束させるレンズを光軸方向に移動可能に保持する鏡筒と、前記鏡筒に設けられて前記光軸周りに回転自在なリング状部材を備え、当該リング状部材の回転にともなって前記レンズを前記光軸方向に移動させる移動機構と、一端部が前記リング状部材に設けられ他端部が前記開口部周辺に位置付けられて、前記光軸周りに回転するように操作された場合に前記リング状部材を前記光軸周りに回転させる操作用部材と、を備えることを特徴とする。
【００１５】
ここで、開口部周辺とは、レンズの焦点距離を調整する作業者が、ハウジングの内部に手を入れずに操作用部材を操作することができる範囲である。また、開口部周辺とは、作業者が、手の平はハウジングの外部にある状態で、ハウジングの内部に指を入れるだけで、操作用部材を操作することができる範囲である。
【００１６】
この発明によれば、操作用部材を光軸周りに回転させることでリング状部材を回転させることができるので、ハウジング内におけるリング状部材の位置に左右されることなくリング状部材を回転させてレンズを光軸方向に移動させることができる。このとき、操作用部材の他端部が開口部周辺に位置付けられているので、レンズの焦点距離を調整する作業者は、操作用部材を容易に把持して、操作用部材を光軸周りに回転させることができ、レンズの焦点距離を容易に調整することができる。
【００１７】
また、この発明にかかるレンズ装置における前記操作用部材の前記他端部は、前記ハウジングの外部に位置付けられていることを特徴とする。
【００１８】
この発明によれば、ハウジングの外部からリング状部材を回転させることができるので、ハウジング内におけるリング状部材の位置に左右されることなくリング状部材を容易に回転させてレンズを光軸方向に移動させることができる。これによって、レンズの焦点距離を調整する作業者は、レンズの焦点距離を一層容易に調整することができる。
【００１９】
また、この発明にかかるレンズ装置は、前記操作用部材に当接している場合に前記他端部を前記光軸に近接する方向に付勢し、前記操作用部材との間に生じる摩擦によって前記リング状部材の回転を規制する規制部材を備え、前記操作用部材は、加えられた外力に応じて前記規制部材から離間するように弾性変形している場合に、前記リング状部材を前記光軸周りに回転可能とすることを特徴とする。
【００２０】
この発明によれば、操作用部材の他端部に外力を加えて操作用部材を弾性変形させることで、ハウジング内に手を入れることなくリング状部材の回転を防止することができるので、リング状部材の回転を固定するための作業空間をレンズ装置の周囲に確保する必要をなくし、レンズ装置を用いる撮像装置の小型化を図ることができる。これによって、レンズの焦点距離を調整する作業者は、小型化された撮像装置が備えるレンズ装置におけるレンズの焦点距離を容易に調整することができる。
【００２１】
また、この発明にかかる撮像装置は、外部に連通された開口部を備えるハウジングと、前記ハウジング内に設けられて、入射した外光を光電変換する撮像素子を備える撮像部材と、前記撮像部材に取り付けられた上記のレンズ装置と、を備えることを特徴とする。
【００２２】
この発明によれば、レンズ装置におけるレンズのずれを防止するための作業空間をハウジング内に確保する必要がなくなるので、撮像装置の小型化を図ることができる。これによって、撮像装置の利用者は、撮像装置の存在を第三者に意識させにくくすることができる。
【発明の効果】
【００２３】
この発明にかかるレンズ装置および撮像装置によれば、レンズの焦点距離を容易に調整することができる。
【００２４】
さらに、この発明にかかるレンズ装置および撮像装置によれば、撮像装置の小型化に支障を来たすことなく、レンズの焦点距離を容易に調整することができる。
【発明を実施するための最良の形態】
【００２５】
以下に添付図面を参照して、この発明にかかるレンズ装置および撮像装置の好適な実施の形態を詳細に説明する。この実施の形態は、この発明にかかるレンズ装置および撮像装置を実現する監視カメラへの適用例を示す。
【００２６】
（実施の形態１）
図１は、実施の形態１の監視カメラを示す斜視図である。はじめに、図１を用いて、実施の形態１の監視カメラの構成について説明する。図１に示したように、実施の形態１の監視カメラ１００は、外部に連通された開口部１０１を備えるハウジング１０２を備えている。図示を省略するが、ハウジング１０２内には、撮像部材としての監視カメラ本体が設けられている。
【００２７】
監視カメラ本体は、入射した外光を光電変換する撮像素子を備えている。具体的に、撮像素子は、たとえば、カラーあるいはモノクロのＣＣＤなどによって実現される。また、監視カメラ本体は、撮像素子が光電変換することで生成された電気信号に基づいて画像データを生成する画像処理回路や、画像処理回路が生成した画像データを記録する記録部、監視カメラ１００が備える各部を駆動制御する制御部などを備えている。
【００２８】
画像処理回路が生成した画像データは、記録部に記録するものに限らず、たとえば、通信網を介して外部装置に送信するようにしてもよい。図示を省略するが、ハウジング１０２には、開口部１０１を覆う位置に、カバー部材が取り付けられる。カバー部材は、ハウジング１０２に対して取り外し可能に設けられている。
【００２９】
カバー部材の形状は、監視カメラ本体の動作範囲に干渉しないように、たとえば、監視カメラ１００の動作範囲を回避するように湾曲するドーム型とされている。カバー部材は、たとえば、プラスチック樹脂などの光透過性を有する材料によって形成されている。カバー部材によってハウジング１０２の開口部１０１を覆うことで、ハウジング１０２内の監視カメラ本体を外部から見えにくくしたり、監視カメラ本体による撮像方向が変えられることを防止したりすることができる。
【００３０】
監視カメラ本体には、レンズ装置１０３が取り付けられている。公知の技術であるため説明を省略するが、レンズ装置１０３は、たとえば、ヘリコイド機構やバヨネット機構を介して監視カメラ本体に取り付けられている。レンズ装置１０３は、略円筒形状の鏡筒１０４を備えている。鏡筒１０４の外周側には、光軸周りに回転自在なフォーカスリング１０５やズームリング（図３を参照）が設けられている。
【００３１】
図２は、レンズ装置１０３を示す側面図である。図２に示したように、フォーカスリング１０５は、開口部１０１を介してハウジング１０２の外側に突出している。図２中符号２０１は、一端部が上述したズームリングに設けられた操作用部材である。操作用部材２０１の他端は、開口部１０１を介してハウジング１０２の外側に突出している。
【００３２】
図３は、レンズ装置１０３を示す側面図である。図３には、監視カメラ本体から取り外し、ハウジング１０２から取り出した状態のレンズ装置１０３が示されている。図３に示したように、レンズ装置１０３における鏡筒１０４の外周側には、フォーカスリング１０５およびリング状部材としてのズームリング３０１が設けられている。フォーカスリング１０５およびズームリング３０１は、光軸を軸心とする略円筒形状を有しており、光軸周りに回転可能に設けられている。
【００３３】
操作用部材２０１は、ズームリング３０１に一体成型されており、ズームリング３０１側よりもフォーカスリング１０５側の方が押さえ部材３０３から離間するように、光軸方向に対して傾斜する棒形状を有している。操作用部材２０１において、ズームリング３０１側の一部には、光軸から離反する面から光軸側に凹んだ凹部３０２が設けられている。操作用部材２０１は、凹部３０２を拡開させながら、他端部側がフォーカスリング１０５に接近する方向へ撓むことが可能である（図６を参照）。
【００３４】
なお、実施の形態１においては、ズームリング３０１側よりもフォーカスリング１０５側の方が押さえ部材３０３から離間するように、光軸方向に対して傾斜する棒形状を有する操作用部材２０１について説明したが、操作用部材２０１の傾斜方向はこれにかぎるものではない。図示を省略するが、たとえば、フォーカスリング１０５側よりもズームリング３０１側の方が押さえ部材３０３から離間するように、光軸方向に対して傾斜する棒形状を有する操作用部材であってもよい。また、図示を省略するが、操作用部材２０１は棒形状に限るものではなく、たとえば平板形状を有していてもよい。
【００３５】
操作用部材２０１において、凹部３０２と反対側は、鏡筒１０４に取り付けられた押さえ部材３０３に当接されている。押さえ部材３０３は、光軸周りに弧をなす略Ｕ字形状を有しており、鏡筒１０４を外周側から把持するように鏡筒１０４に取り付けられている。押さえ部材３０３は、鏡筒１０４に取り付けられることによって操作用部材２０１に当接する。
【００３６】
押さえ部材３０３は、操作用部材２０１に当接している場合に、操作用部材２０１に対して、光軸とは離間する側から鏡筒１０４側へ付勢する付勢力を作用させる。操作用部材２０１の他端部側がフォーカスリング１０５に接近する方向へ撓んだ状態では、操作用部材２０１に対する付勢力は解除される。
【００３７】
図示を省略するが、押さえ部材３０３における操作用部材２０１側の面あるいは操作用部材２０１における押さえ部材３０３の面の少なくとも一方には、操作用部材２０１と押さえ部材３０３との間の摩擦力が所定以上となるような加工が施されている。加工は、具体的には、たとえば、押さえ部材３０３における操作用部材２０１側の面あるいは操作用部材２０１における押さえ部材３０３の面の少なくとも一方に凹凸を設ける加工であってもよいし、ゴムシートなどを貼り付ける加工であってもよい。所定以上の摩擦力とは、たとえば、運搬などによりレンズ装置１０３に振動が加わった場合にも、ズームリング３０１を光軸周りに回転させない大きさの摩擦力である。
【００３８】
図４は、レンズ装置１０３を示す断面図である。図４には、監視カメラ本体から取り外し、ハウジング１０２から取り出した状態のレンズ装置１０３を、光軸を含む面で切断した場合の断面が示されている。図４に示したように、鏡筒１０４は、フォーカスレンズ４０１を保持する第１の鏡筒４０２と、ズームレンズ４０３を保持する第２の鏡筒４０４と、から構成されている。
【００３９】
第１の鏡筒４０２および第２の鏡筒４０４は、光軸を軸心とする円筒形状を有している。フォーカスレンズ４０１は、第１の鏡筒４０２内で光軸方向に移動可能に設けられている。ズームレンズ４０３は、第２の鏡筒４０４内で光軸方向に移動可能に設けられている。フォーカスレンズ４０１およびズームレンズ４０３を光軸方向に移動可能とする構成については、公知の技術であるため説明を省略する。
【００４０】
図５は、レンズ装置１０３を示す分解斜視図である。図５に示したように、レンズ装置１０３は、鏡筒１０４における第２の鏡筒４０４に対してズームリング３０１を嵌め込み、つづいて鏡筒１０４の外周側から操作用部材２０１を覆うようにして押さえ部材３０３を取り付けることによって製造することができる。
【００４１】
図６は、レンズ装置１０３におけるレンズの焦点距離の調整作業について説明する説明図である。図６に示したように、レンズの焦点距離の調整作業に際して、作業者は、ハウジング１０２からカバー部材を取り外し、レンズ装置１０３を露出させる。フォーカスレンズ４０１を移動させる場合、作業者は、フォーカスリング１０５を手で把持して光軸周りに回転させる。これによって、フォーカスレンズ４０１が光軸方向に移動する。
【００４２】
上述したように、フォーカスリング１０５は、開口部１０１を介してハウジング１０２の外部に突出しているため（図２を参照）、作業者はフォーカスリング１０５を容易に把持して回転させることができる。これによって、フォーカスレンズ４０１を移動させる作業の容易化を図ることができる。
【００４３】
ズームレンズ４０３を移動させる場合、作業者は、操作用部材２０１に対して図６中矢印６０１で示した方向の力を作用させる。具体的には、たとえば、人差し指を操作用部材２０１にかけ、フォーカスリング１０５において光軸を間にして操作用部材２０１とは反対側に親指をかけた状態で、双方の指を近づけるようにすることで操作用部材２０１に対して図６中矢印６０１で示した方向の力を加える。
【００４４】
操作用部材２０１は、図６中矢印６０１で示した方向の力が加えられた場合に、図６中符号６０２で示した位置を支点として、フォーカスリング１０５に接近する方向へ撓む。撓ませた状態の操作用部材２０１は、押さえ部材３０３から離間した状態となる。なお、撓んだ状態にある操作用部材２０１は、凹部３０２を拡開させることで、加えられた外力に対する反発力を逃がしている。これによって、撓ませたことに起因して操作用部材２０１が破損することを防止できる。
【００４５】
操作用部材２０１が押さえ部材３０３から離間している間は、ズームリング３０１の回転を規制する力がなくなる。作業者は、操作用部材２０１を撓ませた状態のまま光軸周りに手を動かしてズームリング３０１を光軸周りに回転させる。これによって、ズームレンズ４０３が光軸方向に移動する。
【００４６】
上述したように、操作用部材２０１は、開口部１０１を介してハウジング１０２の外部に突出しているため（図２を参照）、作業者は操作用部材２０１を容易に把持することができる。これによって、ズームレンズ４０３を移動させる作業の容易化を図ることができる。
【００４７】
ズームレンズ４０３の位置の調整が終了した時点で、作業者は、操作用部材２０１から手を離す。操作用部材２０１は、加えられていた力がなくなった時点で、操作用部材２０１自身の弾性力によって図６Ａに示した形状に復帰する。これによって、操作用部材２０１が押さえ部材３０３に当接し、ズームリング３０１の回転が規制される。
【００４８】
上述したように、実施の形態１のレンズ装置１０３によれば、操作用部材２０１を掴んで光軸周りに回転させることでズームリング３０１を回転させることができるので、ハウジング１０２内におけるズームリング３０１の位置に左右されることなくズームリング３０１を回転させてズームレンズ４０３を光軸方向に移動させることができる。これによって、作業者は、レンズ装置１０３の焦点距離を容易に調整することができる。
【００４９】
一般的に、監視カメラ１００は、たとえば天井や壁における高い所など人の手が届きにくい所に設置されるため、焦点距離を調整するための作業環境が悪いことが想定されるが、実施の形態１のレンズ装置１０３を備える監視カメラ１００によれば、作業環境に左右されることなく、レンズ装置１０３の焦点距離を容易に調整することができる。
【００５０】
また、実施の形態１のレンズ装置１０３によれば、ハウジング１０２の外部からズームリング３０１を回転させることができるので、ハウジング１０２内におけるズームリング３０１の位置に左右されることなくズームリング３０１を容易に回転させてズームレンズ４０３を光軸方向に移動させることができる。これによって、作業者は、レンズ装置１０３の焦点距離を一層容易に調整することができる。
【００５１】
また、実施の形態１のレンズ装置１０３によれば、簡易な構成によって操作用部材２０１を実現することができるので、ハウジング１０２内におけるズームリング３０１の位置に左右されることなくズームリング３０１を容易に回転させてズームレンズ４０３を光軸方向に移動させることができる。これによって、作業者は、レンズ装置１０３の焦点距離を一層容易に調整することができる。
【００５２】
また、実施の形態１のレンズ装置１０３によれば、ハウジング１０２内に手を入れることなくズームリング３０１の回転を防止することができるので、ハウジング１０２内におけるレンズ装置１０３の周囲にズームリング３０１の回転を固定するための作業空間を確保する必要をなくし、監視カメラ１００の小型化を図ることができる。これによって、作業者は、監視カメラ１００の大きさに拘わらず、レンズ装置１０３の焦点距離を容易に調整することができる。
【００５３】
また、実施の形態１の監視カメラ１００によれば、レンズ装置１０３におけるレンズのずれを防止するための作業空間をハウジング１０２内に確保する必要がなくなるので、監視カメラ１００の小型化を図ることができる。これによって、監視カメラ１００の設置者は、監視カメラ１００の存在を第三者に意識させにくくすることができる。
【００５４】
（実施の形態２）
図７は、実施の形態２のレンズ装置を示す斜視図である。つぎに、図７を用いて、実施の形態２のレンズ装置の構成について説明する。実施の形態２のレンズ装置は、上述した実施の形態１における監視カメラ１００が備えるレンズ装置１０３に代えて用いられる。
【００５５】
図７に示したように、実施の形態２のレンズ装置７００は、ズームリング３０１の回転を規制するロック機構７０１を備えている。ロック機構７０１は、ズームリング３０１に一体に設けられた固定部材７０２および固定部材７０２に螺合されたネジ７０３によって構成される操作用部材７０４を備えている。
【００５６】
固定部材７０２は、ズームリング３０１側よりもフォーカスリング１０５側への方が押さえ部材３０３から離間するように、光軸方向に対して傾斜している。操作用部材７０４は、ネジ７０３の一部が、開口部１０１を介してハウジング１０２の外部に突出するように設けられている。
【００５７】
固定部材７０２において、フォーカスリング１０５側となる端部には、光軸から離反する方向へ屈曲する屈曲部７０５が設けられている。ネジ７０３は、屈曲部７０５に設けられたネジ孔（図示を省略）に螺合されている。ネジ孔は、光軸方向に固定部材７０２を貫通しており、これによってネジ７０３は、締め込まれることによって、先端部が押さえ部材３０３に当接することとなる。
【００５８】
ズームレンズ４０３を移動させる場合には、ネジ７０３を緩めて、上述した実施の形態１と同様にして、ネジ７０３に対して光軸方向への力を加えた状態で、ズームリング３０１を回転させる。これによって、ズームレンズ４０３が光軸方向に移動する。なお、ネジ７０３の先端部が押さえ部材３０３に当接している状態では、ズームリング３０１が回転しようとした場合に、ネジ７０３の先端部と押さえ部材３０３との間に摩擦力が生じ、ズームリング３０１の回転が規制される。
【００５９】
上述したように、実施の形態２のレンズ装置７００によれば、ハウジング１０２内におけるズームリング３０１の位置に左右されることなくズームリング３０１を回転させてズームレンズ４０３を光軸方向に移動させることができる。これによって、作業者は、レンズ装置７００の焦点距離を容易に調整することができる。
【００６０】
また、実施の形態２のレンズ装置７００によれば、ネジ７０３が開口部１０１を介してハウジング１０２の外部に突出しているので、ハウジング１０２の外部からネジ７０３を操作することができる。これによって、ハウジング１０２内におけるレンズ装置７００の周囲にズームリング３０１の回転を固定するための作業空間を確保する必要をなくし、監視カメラ１００の小型化を図ることができる。これによって、作業者は、監視カメラ１００の大きさに拘わらず、レンズ装置７００の焦点距離を容易に調整することができる。
【産業上の利用可能性】
【００６１】
以上のように、この発明にかかるレンズ装置および撮像装置は、焦点位置を調整可能であってハウジング内に収容されるレンズ装置、および当該レンズ装置を備える撮像装置などに適している。
【図面の簡単な説明】
【００６２】
【図１】実施の形態１の監視カメラを示す斜視図である。
【図２】レンズ装置を示す側面図である。
【図３】レンズ装置を示す側面図である。
【図４】レンズ装置を示す断面図である。
【図５】レンズ装置を示す分解斜視図である。
【図６】レンズ装置におけるレンズの焦点距離の調整作業について説明する説明図である。
【図７】実施の形態２のレンズ装置を示す斜視図である。
【符号の説明】
【００６３】
１００  監視カメラ
１０１  開口部
１０２  ハウジング
１０３  レンズ装置
１０４  鏡筒
２０１  操作用部材
３０１  ズームリング
７００  レンズ装置
７０４  操作用部材
【図１】
2008046492.tif 000003
【図２】
2008046492.tif 000004
【図３】
2008046492.tif 000005
【図４】
2008046492.tif 000006
【図５】
2008046492.tif 000007
【図６】
2008046492.tif 000008
【図７】
2008046492.tif 000009